(57)【要約】【課題】毛細血管を圧迫することがなく、簡易に血行障害による褥瘡を予防することができる褥瘡予防板及びこの褥瘡予防板を備えた着衣を提供する。【解決手段】体の表面に沿って湾曲する弾力性を有する板１に、複数のエンボス状の凸部２を配列してあり、前記凸部２が体と接触して他の部分を無接触にすることにより褥瘡を予防するようにした。【選択図】          図１
2004222770.tif 000002
【特許請求の範囲】
【請求項１】
体の表面に沿って湾曲する弾力性を有する板に、複数のエンボス状の凸部を配列してあり、前記凸部が体と接触して他の部分を無接触にすることにより褥瘡を予防するようにした褥瘡予防板。
【請求項２】
前記凸部が半球状をなし、点接触により体に接するようにした請求項１に記載の褥瘡予防板。
【請求項３】
前記板が合成樹脂又は紙又は合成樹脂を配合した紙からなる請求項１乃至３のいずれかに記載の褥瘡予防板。
【請求項４】
請求項１乃至３のいずれかに記載の褥瘡予防板を備えた着衣。
【発明の詳細な説明】
【０００１】
【発明の属する技術分野】
本発明は、寝たきりの人の着衣に装着する褥瘡予防板及びこの褥瘡予防板を備えた着衣に関する。
【０００２】
【従来の技術】
近年、老齢化が進み、介護の必要者が増加する傾向にある。それに伴い、寝たきりの人の褥瘡をいかに防止するかが課題となっている。
褥瘡は局所への圧力の集中が長時間続くこと等により発生するので、従来、体の局所にかかる圧力を分散するようにしたマットや、自動的に体の向きを変える装置の付いたベッド等が開発されている。
また、簡易に褥瘡を予防する手段として、弾性材又はエアークッションを褥瘡の発生しやすい部分に当てるようにしたおむつ及びおむつカバーは知られている（例えば、特許文献１、特許文献２参照）。
【０００３】
【特許文献１】
特開平７−３０５２０２号公報
【特許文献２】
特開平１０−２８６９７号公報
【０００４】
【発明が解決しようとする課題】
しかし、従来のマット、ベッド、エアークッション等の褥瘡予防用具では、体の局所にかかる圧力を分散することにより短期間の褥瘡予防効果はあるが、長時間同じ部位が接触しているために毛細血管を圧迫することによって生じる血行障害を防止することはできず、圧力が集中する部位の褥瘡を充分に予防することができなかった。
そこで、本発明は、複数の凸部が体と接触して他の部分を無接触にすることにより、毛細血管を圧迫することがなく、簡易に血行障害による褥瘡を予防することができる褥瘡予防板及びこの褥瘡予防板を備えた着衣を提供するものである。
【０００５】
【課題を解決するための手段】
本発明は、上記課題を解決するために、体の表面に沿って湾曲する弾力性を有する板に、複数のエンボス状の凸部を配列してあり、前記凸部が体と接触して他の部分を無接触にすることにより褥瘡を予防するようにした褥瘡予防板を提供するものである。
本発明によれば、体の表面に沿って湾曲する弾力性を有する板により体の局所にかかる圧力を分散することができ、凸部をエンボス状に形成したから板の弾力性を損なわないと共に、凸部が体と接触して他の部分を無接触にすることにより、毛細血管を圧迫することがなく血行障害による褥瘡を予防することができる。
【０００６】
また、本発明は、前記凸部が半球状をなし、点接触により体に接するようにした請求項１に記載の褥瘡予防板を提供するものである。
本発明によれば、凸部が半球状をなすから、常に点接触により体に接触して他の部分を無接触にすることができる。
【０００７】
また、本発明は、前記板が合成樹脂又は紙又は合成樹脂を配合した紙からなる請求項１乃至３のいずれかに記載の褥瘡予防板を提供するものである。
【０００８】
また、本発明は、請求項１乃至３のいずれかに記載の褥瘡予防板を備えた着衣を提供するものである。
本発明によれば、褥瘡予防板を備えた着衣を身に付けることによって、容易に血行障害による褥瘡を予防することができる。
【０００９】
【発明の実施の形態】
本発明の実施の形態を図示する実施例に基づいて説明する。
本発明に係る褥瘡予防板１０は、体の表面に沿って湾曲する弾力性を有する板１に、複数のエンボス状の凸部２を配列してあり、前記凸部２が体と接触して他の部分を無接触にすることにより褥瘡を予防するように構成してある。
【００１０】
図１に示す実施例において、板１は、生体適合用樹脂であるシリコン、ウレタン、繊維系樹脂（アセテート）等、又は、ＰＰ（ポリプロピレン）、ＰＥ（ポリエチレン）、ＰＥＴ（ポリエチレンテレフタレート）等の弾力性を有する合成樹脂からなり、体の表面に沿って湾曲して局所にかかる圧力を分散することができるようにしてある。
図示しないが、板１には、通気用の微小孔を設けることにより、吸水性がある着衣に汗等を抜けさせて、皮膚のムレを防いで褥瘡の発生を予防することができると共に、汗疹を防止することも可能である。
【００１１】
図１及び図２に示すように、凸部２は半球状をなし、板１が湾曲しても常に点接触により体に接することができるように構成してある。凸部２は、シート状の板１をエンボス加工して形成することができ、また、板１と一体成形することもできる。体との接点を小さくすると共に、接点の数を多くして一点にかかる荷重を小さくすることができるから、凸部２の直径を０．１ｃｍ〜１．０ｃｍに設けることが好ましい。
なお、凸部２は、体との接点を小さくし、接点以外の部分を無接触にすることができればよいから、半球状に限らず、丸みを帯びた凸形状であればよい。
【００１２】
また、板１は、図示の実施例のように合成樹脂からなる場合に限らず、紙又は合成樹脂を配合した紙からなり、エンボス加工により凸部２を形成することもできる。板１に紙を使用することにより、汗等の吸湿性を向上させることができると共に、使用後に焼却することができる。更に、使用する部位、使用する人の体形に応じて、褥瘡予防板１０を加工して使用することができる。
【００１３】
図３に示す実施例において、３はオムツであり、臀部と接する部分に褥瘡予防板１０を挿入して設けてある。褥瘡予防板１０は、体の表面に沿って湾曲する弾力性を有するから、凸部２が臀部と点接触して他の部分を無接触にすることにより褥瘡の発生を予防するように構成してある。
また、通気用の微小孔を設けた褥瘡予防板１０を使用する場合には、図４に示す実施例のように、オムツ３内側に褥瘡予防板１０を貼り付けた構成とすることも勿論可能である。
また、褥瘡予防板１０は、図示の実施例のようにオムツに設ける場合に限らず、オムツカバー、下着、寝巻き等の着衣に挿入又は貼り付けて使用することができる。
【００１４】
【発明の効果】
以上の通り、本発明に係る褥瘡予防板によれば、体の表面に沿って湾曲する弾力性を有する板に、複数のエンボス状の凸部を配列してあり、前記凸部が体と接触して他の部分を無接触にすることにより褥瘡を予防するようにした構成を有することにより、体の表面に沿って湾曲する弾力性を有する板により体の局所にかかる圧力を分散することができ、凸部をエンボス状に形成したから板の弾力性を損なわないと共に、凸部が体と接触して他の部分を無接触にすることにより、毛細血管を圧迫することがなく血行障害による褥瘡を予防することができる効果がある。
【００１５】
また、本発明は、前記凸部が半球状をなし、点接触により体に接するようにした請求項１に記載の構成を有することにより、半球状の凸部が体に接することによって、常に点接触により体に接触して他の部分を無接触にすることができる効果がある。
【００１６】
また、本発明は、前記板が合成樹脂又は紙又は合成樹脂を配合した紙からなる請求項１乃至３のいずれかに記載の構成を有することにより、板に体の表面に沿って湾曲する弾力性を与えることができると共に、容易に凸部を設けることができる。
【００１７】
また、本発明に係る褥瘡予防板を備えた着衣によれば、請求項１乃至３のいずれかに記載の褥瘡予防板を備えた構成を有することにより、着衣を身に付けることによって容易に血行障害による褥瘡を予防することができる効果がある。
【図面の簡単な説明】
【図１】本発明褥瘡予防板の一実施例を示す斜視図
【図２】その一実施例のＡ−Ａ線断面図
【図３】本発明褥瘡予防板を備えた着衣の一実施例を示す斜視図
【図４】他の実施例を示す斜視図
【符号の説明】
１  板
２  凸部
３  オムツ
１０  褥瘡予防板
【図１】
2004222770.tif 000003
【図２】
2004222770.tif 000004
【図３】
2004222770.tif 000005
【図４】
2004222770.tif 000006